(57)【要約】【課題】電子機器の視認性の確保のため、バックライト輝度を、光源数を増やすことなく向上させる。【解決手段】液晶表示装置は、液晶表示パネルと、前記液晶表示パネルを照明する光源と、前記光源の光を前記液晶表示パネルに導く導光部材と、前記導光部材に重ねて配置される反射部材とを有し、前記反射部材には前記導光板の端面より突出して前記光源の面の少なくとも一部を覆う張り出し領域が形成される。【選択図】図1
2009075267.tif 000002
【特許請求の範囲】
【請求項１】
液晶表示パネルと、前記液晶表示パネルを照明する光源と、前記光源の光を前記液晶表示パネルに導く導光部材と、前記導光部材に重ねて配置される反射部材とを有する液晶表示装置であって、
前記反射部材には前記導光部材の端面より突出して前記光源の面の少なくとも一部を覆う張り出し領域が形成されることを特徴とする液晶表示装置。
【請求項２】
前記光源が実装されるプリント配線板を有し、前記プリント配線板には前記プリント配線板と前記導光部材とで前記反射部材を挟む位置に配置される第１の領域と、前記反射部材よりも前記導光部材側に配置される第２の領域が形成され、前記光源は前記第２の領域に実装されることを特徴とする請求項１に記載の液晶表示装置。
【請求項３】
前記光源は前記プリント配線板の前記第２の領域と前記反射部材の前記張り出し領域とで挟まれることを特徴とする請求項２に記載の液晶表示装置。
【請求項４】
前記プリント配線板の前記反射部材に対向する面とは反対側の面に前記光源が実装されることを特徴とする請求項２または３に記載の液晶表示装置。
【請求項５】
前記第２の領域は液晶表示装置の外装であるカバーに支持されることを特徴とする請求項２乃至４のいずれか１項に記載の液晶表示装置。
【請求項６】
前記張り出し領域は、折り曲げられて前記光源の複数の面を覆うことを特徴とする請求項１に記載の液晶表示装置。
【請求項７】
前記光源は前記プリント配線板の前記第２の領域と前記導光部材の端面とで挟まれることを特徴とする請求項６に記載の液晶表示装置。
【請求項８】
前記プリント配線板の前記反射部材に対向する面に前記光源が実装されることを特徴とする請求項６乃至７に記載の液晶表示装置。
【請求項９】
前記張り出し領域は液晶表示装置の外装であるカバーに支持されることを特徴とする請求項６乃至８のいずれか１項に記載の液晶表示装置。
【発明の詳細な説明】
【技術分野】
【０００１】
本発明は、バックライトを備えた液晶表示装置に関するものである。
【背景技術】
【０００２】
液晶表示装置は、電子機器の状態を表示する手段として電子機器において広く使用されている。さらに、特許文献１のように液晶表示装置には暗所での視認性を確保するために照明装置、いわゆるバックライトを備えたものが開示されている。
【０００３】
図３は、（Ａ）が従来例としての液晶表示装置の分解斜視図、（Ｂ）が組立状態における要部を抽出した図である。
液晶表示パネル（ＬＣＤ）３０１は、上ガラス３０１ａと下ガラス３０１ｂの間に図示しない液晶を封止し、上ガラス３０１ａに透過型表面偏光板３０１ｃを、下ガラス３０１ｂに半透過型裏面偏光板３０１ｄをそれぞれ貼付する。下ガラス３０１ｂより突出した上ガラス３０１ａの面に形成された図示しない透明電極を通じて外部から電気的に駆動されると、内部の液晶の状態変化により所定の範囲が遮光状態となる。これを利用して各種の表示を行なう。面偏光板３０１ｄを半透過型としたことで、外光を反射させて表示を観察することも、バックライト光を透過させて表示を観察することも可能とする。
【０００４】
導光板３０２は、液晶表示パネル３０１とフレキシブルプリント配線板３０４の間に液晶表示パネル３０１と平行に設置される。そして、端部に設けられた入射面３０２ａから入射した光を、液晶表示パネル３０１側の面及び反射シート３０３側の面の微細形状によって、照射面３０２ｂより液晶表示パネル３０１側にほぼ均一に射出する。
【０００５】
反射シート３０３は、光を反射するシートで、光源であるＬＥＤ３０５からの光のうち導光板３０２の入射面３０２ａ以外に向かう光を導光板３０２に向けて反射する。それと同時に、導光板３０２から漏れ出た光を再び導光板３０２に向けて反射することで、バックライトの輝度を向上させるものであり、導光板３０２とフレキシブルプリント配線板の間に設置されている。
【０００６】
フレキシブルプリント配線板３０４の、反射シート３０３側の面にはＬＥＤ３０５が実装されている。ＬＥＤ３０５は、バックライトの光源であり、主発光方向Ｌが導光板３０２の入射面３０２ａに垂直に入射する。これはフレキシブルプリント配線板３０４に沿った方向に発光するもので側面発光タイプと呼ばれる。
【０００７】
ラバーコネクタ３０６は導体層と絶縁層が狭ピッチで交互に積層されたものである。図の横方向には絶縁性を呈し、それ以外の方向には導電性を呈する。フレキシブルプリント配線板３０４の導体露出部３０４ｄとＬＣＤ３０１の透明電極を正しく電気的に接続する。
【０００８】
ケース３０７とカバー３０８は、ラバーコネクタ３０６の圧縮反発力に抗してケースの突起３０７ａとカバーの穴３０８ａとが互いに係合すると同時に、上述の各部品を保持して液晶表示装置を形成する。
【特許文献１】特開平０２−１０６７１９
【発明の開示】
【発明が解決しようとする課題】
【０００９】
電子機器の多機能化による表示内容増加や、表示の見やすさを向上させるための表示サイズの大型化に伴い、液晶表示面積は拡大される傾向にある一方、視認性の確保のためバックライトには一定以上の輝度が求められる。液晶表示面積の拡大に対応してバックライトの光源数を増やすことはコストアップや消費電力の増加や液晶表示装置の大型化を招くため好ましい方法ではない。しかしながら、上記従来例においては、光源のＬＥＤ３０５が、フレキシブルプリント配線板３０４の反射シート３０３側の面に実装される。それに加え、フレキシブルプリント配線板３０４は反射シート３０３の直下の領域からＬＥＤ３０５が実装された領域までがほぼ同一面であるため、反射シート３０３はＬＥＤ３０５の近傍までしか設置することはできない。ＬＥＤ３０５の光は、主たる発光方向Ｌすなわち導光板３０２の入射面３０２ａ方向のみならず、ＬＥＤ３０５の上方や側方や斜め方向など他の方向にも照射される。そのため、ＬＥＤ３０５の主たる発光方向以外の光を効率よく利用できず、バックライトの輝度を向上及び液晶表示面積の拡大に伴って暗所での視認性を確保できない。また、フレキシブルプリント配線板３０４に他の電子部品を実装する必要がある場合、反射シート３０３とは反対側すなわちＬＥＤ３０５とは異なる面に実装せざるを得えない。結果として、フレキシブルプリント配線板３０４に対する実装工程が表裏両面に対して必要となり、実装コストが増加してしまう。
【課題を解決するための手段】
【００１０】
本発明の一側面としての液晶表示装置は、液晶表示パネルと、前記液晶表示パネルを照明する光源と、前記光源の光を前記液晶表示パネルに導く導光部材と、前記導光部材に重ねて配置される反射部材とを有する液晶表示装置であって、前記反射部材には前記導光部材の端面より突出して前記光源の面の少なくとも一部を覆う張り出し領域が形成されることを特徴とする。
【発明の効果】
【００１１】
本発明によれば、光源の主たる発光方向以外の光も効率よく利用できるためバックライトの輝度を向上させることができ、液晶表示面積が拡大されても光源数を増やさずに暗所での視認性を確保することができる。
【発明を実施するための最良の形態】
【００１２】
以下、本発明の好ましい実施例について図面を参照しながら説明する。
【実施例１】
【００１３】
図１は、（Ａ）が実施例としての液晶表示装置の分解斜視図、（Ｂ）が組立状態における要部を抽出した図である。
【００１４】
ＬＣＤ１０１は、上ガラス１０１ａと下ガラス１０１ｂの間に図示しない液晶を封止し、上ガラス１０１ａに透過型表面偏光板１０１ｃを、下ガラス１０１ｂに半透過型裏面偏光板１０１ｄをそれぞれ貼付する。下ガラス１０１ｂより突出した上ガラス１０１ａの面に形成された図示しない透明電極を通じて外部から電気的に駆動されると、内部の液晶の状態変化により所定の範囲が遮光状態となる。これを利用して各種の表示を行なう。裏面偏光板１０１ｄを半透過型としたことで、外光を反射させて表示を観察することも、バックライト光を透過させて表示を観察することも可能とした。
【００１５】
導光板（導光部材）１０２は、液晶表示パネル１０１とフレキシブルプリント配線板１０４の間に液晶表示パネル１０１と平行に設置される。そして、端部に設けられた入射面１０２ａから入射した光を、液晶表示パネル１０１側の面及び反射シート（反射部材）１０３側の面の微細形状により照明面１０２ｂより液晶表示パネル１０１側にほぼ均一に射出する。
【００１６】
反射シート１０３は、光を反射するシートで、ＬＥＤ１０５からの光のうち導光板１０２の入射面１０２ａ以外に向かう光を導光板１０２に向けて反射する。それと同時に、導光板１０２からもれ出た光を再び導光板１０２に向けて反射することで、バックライトの輝度を向上させるものであり、導光板１０２と第１の領域１０４ａの間に位置する領域１０３ａと導光板１０２の端面よりも外側へ張り出す張り出し領域１０３ｂによって構成される。張り出し領域１０３ｂは導光板１０２の照明面１０２ｂに垂直で導光板１０２から反射シート１０３に向かう方向Ｋに沿って、光源１０５の下方に位置して、光源１０５の一部を覆っている。
【００１７】
フレキシブルプリント配線板１０４は、表裏に導体層を有する両面フレキシブルプリント配線板である。導光板１０２に対向する第１の領域１０４ａ、ＬＥＤ１０５が実装された第２の領域１０４ｂ、第１の領域１０４ａと第２の領域１０４ｂとを接続する第３の領域１０４ｃを有する。第１の領域１０４ａの、導光板１０２とは反対側の面（以後Ａ面と呼ぶ）にはＬＣＤ１０１の駆動回路を構成する電子部品１０９が実装されている。導光板１０２側（導光部材側）の面（以後Ｂ面と呼ぶ）には、ラバーコネクタ１０６と電気的に接続するための導体露出部１０４ｄが形成されている。第２の領域１０４ｂにおいてＬＥＤ１０５は電子部品１０９と同じＡ面に実装されている。第２の領域１０４ｂは第１の領域１０４ａとは異なる高さの面にあり、ＬＥＤ１０５の主発光方向Ｌが導光板１０２の入射面１０２ａに対して垂直になるように構成されている。第３の領域は、図示の如く導光板１０２の入射面１０２ａとＬＥＤ１０５の間の光路を遮蔽せずに第１の領域１０４ａと第２の領域１０４ｂを接続している。
【００１８】
ＬＥＤ１０５はバックライトの光源であり、ＬＥＤ１０５が実装されたフレキシブルプリント配線板１０４の第２の領域１０４ｂに沿った方向（主発光方向Ｌ）に発光するもので側面発光タイプと呼ばれるものである。
【００１９】
ラバーコネクタ１０６は導体層と絶縁層が狭ピッチで交互に積層されたもので、図の横方向には絶縁性を呈し、それ以外の方向には導電性を呈するものである。これは、フレキシブルプリント配線板１０４の導体露出部１０４ｄとＬＣＤ１０１の透明電極を正しく電気的に接続する。
【００２０】
ケース１０７とカバー１０８は、ラバーコネクタ１０６の圧縮反発力に抗してケースの突起１０７ａとカバーの穴１０８ａとが互いに係合すると同時に、上述の各部品を保持して液晶表示装置を形成するものである。
【００２１】
以上のように構成された液晶表示装置に対し、本発明による特徴的な部分について説明する。
【００２２】
本実施例における第１の特徴は、反射シート１０３が導光板１０２の端面より外側へ張り出している張り出し領域１０３ｂを有することである。これにより、ＬＥＤ１０５の主発光方向Ｌ以外の光も効率よく導光板１０２に向けて反射させて利用することができるためバックライトの輝度を向上させることができる。また、液晶表示面積が拡大されても光減数を増やさずに暗所での視認性を確保することができる。この時、第２の領域はネジ穴１０４ｅと外装のカバー１０８のネジ穴１０８ｂによってネジ止めされ、支持される。
【００２３】
本実施例における第２の特徴は、光源としてのＬＥＤ１０５が他の電子部品１０９とともに全てＡ面のみに実装されていることである。これにより、光源以外の電子部品を実装する必要が生じてもフレキシブルプリント配線板１０３に対する実装工程はＡ面に対する１工程で済むため、実装コストが増加することはない。
【実施例２】
【００２４】
図２は、（Ａ）が従来例としての液晶表示装置の分解斜視図、（Ｂ）が組立状態における要部を抽出した図である。図２は実施例２としての、本発明を適用した液晶表示装置の分解斜視図であり、第１の実施例と同一の構成要素に対し末尾が同一の符号を付与している。
以下、第１の実施例と異なる部分においてのみ説明する。
【００２５】
張り出し領域２０３ｂは、さらに延びだして、導光板２０２とＬＥＤ２０５の間の光路を遮蔽せずにＬＥＤ２０５の下面、側面及び上面を覆うように設置されている。また、この時、張り出し領域２０３ｂが覆うのはＬＥＤ２０５の下面及び側面のみであってもよい。張り出し領域２０３ｂはネジ穴２０３ｃと外装のカバー２０８のネジ穴２０８ｂによってネジ止めされ、支持される。
【００２６】
フレキシブルプリント配線板２０４は、一方の面にのみ導体層を有する片面フレキシブルプリント配線板である。反射シート２０３直下の第１の領域２０４ａ、ＬＥＤ２０５が実装された第２の領域２０４ｂ、第１の領域２０４ａと第２の領域２０４ｂとを接続する第３の領域２０４ｃを有する。第１の領域２０４ａの、反射シート側２０３の面にはラバーコネクタ２０６と電気的に接続するための導体露出部２０４ｄが形成されている。第２の領域２０４ｂは第１の領域２０４ａとは異なる面に配置され、ＬＥＤ２０５は第２の領域２０４ｂと導光板２０２の端面２０２ａ間に位置し、ＬＥＤ２０５の主発光方向Ｌが導光板２０２の入射面２０２ａに対して垂直になるように構成されている。第３の領域は、図示の如く導光板２０２の端面２０２ａとＬＥＤ２０５の間の光路を遮蔽せずに第１の領域２０４ａと第２の領域２０４ｂを接続している。
【００２７】
ＬＥＤ２０５はバックライトの光源であり、主発光方向Ｌが、ＬＥＤ２０５が実装されたフレキシブルプリント配線板２０４の第２の領域２０４ｂと鉛直方向に発光するもので上面発光タイプと呼ばれるものである。
【００２８】
以上のように構成された液晶表示装置に対し、本発明による特徴的な部分について説明する。
【００２９】
本実施例における第１の特徴は、反射シート２０３がＬＥＤ２０５の下方、さらには側方及び上方の複数の面を覆っていることである。これにより、ＬＥＤ２０５の主発光方向Ｌ以外の光を、より効率よく導光板２０２に向けて反射させて利用することができる。そのため、バックライトの輝度を向上させることができ、液晶表示面積が拡大されても光減数を増やさずに暗所での視認性を確保することができる。
【００３０】
本実施例における第２の特徴は、フレキシブルプリント配線板２０３が片面フレキシブルプリント配線板とされていることである。これにより、フレキシブルプリント配線板が低コストで済む。
【図面の簡単な説明】
【００３１】
【図１】本発明を適用した第１の実施例としての液晶表示装置の分解斜視図
【図２】本発明を適用した第２の実施例としての液晶表示装置の分解斜視図
【図３】従来例としての液晶表示装置の分解斜視図
【符号の説明】
【００３２】
１０１：液晶表示パネル（ＬＣＤ）
１０２：導光板
１０３：反射シート
１０４：フレキシブルプリント配線板
１０５：光源（ＬＥＤ）
１０６：ラバーコネクタ
１０７：ケース
１０８：カバー
１０９：電子部品
【図１】
2009075267.tif 000003
【図２】
2009075267.tif 000004
【図３】
2009075267.tif 000005